(57)【特許請求の範囲】
【請求項１】
複数のカセットからなる棒金収納部と、該棒金の出金を制御する制御部とを有するＡＴＭにおいて、
上記棒金収納部は、単一金種の棒金を収納したカセットと複数金種の棒金を混合して収納したカセットを有し、
上記制御部は、出金時に該出金に必要な単一金種の棒金の残存をチェックし、該単一金種の棒金が無くなった場合は、上記複数金種の棒金を混合して収納したカセットから当該必要な金種の貨幣を出金するための制御を行うことを特徴とするＡＴＭ。
【請求項２】
前記出金が、釣り銭用の両替出金であることを特徴とする前記請求項１記載のＡＴＭ。
【請求項３】
棒金収納カセットはロック機構を有し、最初に単一金種の棒金を収納したカセットのロックを解除し、単一金種の棒金が無くなった場合は、上記複数金種の棒金を混合して収納したカセットのロックを解除することを特徴とする前記請求項１または２記載のＡＴＭ。
【請求項４】
複数のカセットからなる棒金収納部と該棒金の出金を制御する制御部とを有するＡＴＭの出金制御方法において、
１．出金金種が指定される過程、
２．前記出金金種として指定された指定金種が単一金種の棒金を収納したカセットに残存するかどうかを検知する過程、
３．該指定金種が単一金種の棒金を収納したカセットに残存する場合は、当該単一金種の棒金を出金し、
４．該指定金種が単一金種の棒金を収納したカセットに残存しない場合は、当該指定金種の棒金を複数金種の棒金を混合して収納したカセットから出金する過程を有することを特徴とするＡＴＭの出金制御方法。
【請求項５】
前記指定金種が前記単一金種の棒金を収納したカセットに残存しない場合は、当該指定金種の棒金を複数金種の棒金を混合して収納したカセットのロックを解除して出金する過程を有することを特徴とする前記請求項４記載のＡＴＭの出金制御方法。
【請求項６】
前記各カセットに対応するフラグを立てるファイル箇所を前記制御部内のＤＢに有し、該フラグの有無により前記単一金種の棒金を収納したカセット、または、複数金種の棒金を混合して収納したカセットの縮退を表示し、さらに、該フラグにより前記単一金種の棒金を収納したカセット、または、複数金種の棒金を混合して収納したカセットのロック解除を制御することを特徴とする前記請求項４、または５記載のＡＴＭの出金制御方法。
【請求項７】
前記指定金種が前記単一金種の棒金を収納したカセットに残存しない場合は、あるいは、複数金種の棒金を混合して収納したカセットのロックを解除したときは、センター・サーバに棒金補充要請の通知を行う過程をさらに有することを特徴とする前記請求項４〜６の内、いずれか１項記載のＡＴＭの出金制御方法。
【発明の詳細な説明】
【技術分野】
【０００１】
本発明は、例えば、釣り銭用の両替の際に、ＡＴＭの複数のカセットに収納された複数
の棒金をカセット単位で出金する機器における、棒金の構成単位と出金制御の方法及び装
置に関する。
【背景技術】
【０００２】
近年、金融機関の店舗以外の、他業種の店舗、例えば、コンビニエンスストア等の小売業者の店舗への現金自動預払機（Ａｕｔｏｍａｔｅｄ  Ｔｅｌｌｅｒ  Ｍａｃｈｉｎｅ。以下、「ＡＴＭ」という）の設置が普及している。これにより、利用者は、いつでもＡＴＭを利用することができるようになってきた。
【０００３】
また、小規模店舗等の小売業では、日常、釣り銭の準備等が必要であり、特に、営業時間の制約のないコンビニエンスストアでの釣り銭準備や両替のサービスが強く求められている。なお、このようなＡＴＭは、店舗以外にも設置されている。
【０００４】
従来、このような店舗等のＡＴＭは、この釣り銭用両替に金種別に複数の棒金を収納するカセットを装備し、必要に応じて指示された金種のカセットを出金していた。
図１５に、このようなＡＴＭの従来の棒金収納部のイメージを示す。従来の棒金収納部には、図１５に示すごとく、単一金種の棒金が複数収納されていた。なお、図１５の上段が、後述するケース１に相当し、下段がケース２に相当する。
【０００５】
図１６に、従来の棒金収納装置からの出金処理のフローチャートを示す。図１６において、出金処理を開始する（Ｓ２１）と、まず、出金金種を指定する（Ｓ２２）。指定金種の棒金が残存するかどうかを検知し（Ｓ２３）、ある場合は指定金種カセットのロックを解除し出金する（Ｓ２４）。
【０００６】
出金完了（Ｓ２５）すると、指定金種カセットのステータスを更新し（Ｓ２６）、上位にステータス情報を通知する（Ｓ２７）。
ただし、前記Ｓ２３において、指定金種が残存しない場合は処理不可能メッセージを表示する（Ｓ２８）。
【０００７】
しかし、従来の棒金カセット収納装置には、以下の問題があった。
図１６の従来の棒金処理フローにおいて、図１５に示されるように、
(1) ケース１の場合
１金種の収納分を出金すると該当金種がエンド状態となり、該当金種については縮退動作となる。該当金種については、装填が完了するまでサービスが停止する。
【０００８】
(2) ケース２の場合
棒金を複数収納していた場合、１回目の特定金種を出金するとニアエンドとなり、装填手配を行なうことができる。２回目の特定金種の出金までは、サービスを継続できるが、ケース１に比べて２倍の棒金を準備する必要がある。
【先行技術文献】
【特許文献】
【０００９】
【特許文献１】特開２００６−８５２２０号公報
【特許文献２】特開２００６−３１８２３６号公報
【特許文献３】特開２００９−１９９１８７号公報
【発明の概要】
【発明が解決しようとする課題】
【００１０】
本発明は、上記従来のＡＴＭの棒金カセット収納装置の上記欠点を解消し、以下の課題の解決を図ることを目的とする。
・ケース１のように、即座にエンド状態に遷移することを回避する。
・ケース２のように、カセットの大幅な数量増加を回避する。
【課題を解決するための手段】
【００１１】
上記目的を達成するため、本発明のＡＴＭは、複数のカセットからなる棒金収納部と、該棒金の出金を制御する制御部とを有するＡＴＭにおいて、
上記棒金収納部は、単一金種の棒金を収納したカセット（以下、略して「単一金種の棒金カセット」という。）と複数金種の棒金を混合して収納したカセット（以下、略して「混合金種カセット」という。）を有し、上記制御部は、出金時に該出金に必要な単一金種の棒金の残存をチェックし、該単一金種の棒金が無くなった場合は、上記複数金種の棒金を混合して収納したカセットから当該必要な金種の貨幣を出金するための制御を行うことを特徴とする。
【００１２】
さらに、前記出金が、釣り銭用の両替出金であることを特徴とする。
さらにまた、棒金収納カセットはロック機構を有し、最初に単一金種の棒金を収納したカセットのロックを解除し、単一金種の棒金が無くなった場合は、上記複数金種の棒金を混合して収納したカセットのロックを解除することを特徴とする。
【００１３】
あるいは、本発明のＡＴＭの出金制御方法は、複数のカセットからなる棒金収納部と該棒金の出金を制御する制御部とを有するＡＴＭの出金制御方法において、
１．出金金種が指定される過程、
２．前記出金金種として指定された指定金種が単一金種の棒金を収納したカセットに残存するかどうかを検知する過程、
３．該指定金種が単一金種の棒金を収納したカセットに残存する場合は、当該単一金種の棒金を出金し、
４．該指定金種が単一金種の棒金を収納したカセットに残存しない場合は、当該指定金種の棒金を複数金種の棒金を混合して収納したカセットから出金する過程、を有することを特徴とする。
【００１４】
さらに、前記指定金種が前記単一金種の棒金を収納したカセットに残存しない場合は、当該指定金種の棒金を複数金種の棒金を混合して収納したカセットのロックを解除して出金する過程を有することを特徴とする。
【００１５】
さらにまた、前記各カセットに対応するフラグを立てるファイル箇所を前記硬貨制御部内のＤＢに有し、該フラグの有無により前記単一金種の棒金を収納したカセット、または、複数金種の棒金を混合して収納したカセットの縮退を表示し、さらに、該フラグにより前記単一金種の棒金を収納したカセット、または、複数金種の棒金を混合して収納したカセットのロック解除を制御することを特徴とする。
【００１６】
さらにまた、前記指定金種が前記単一金種の棒金を収納したカセットに残存しない場合は、あるいは、複数金種の棒金を混合して収納したカセットのロックを解除したときは、センター・サーバに棒金補充要請の通知を行う過程をさらに有することを特徴とする。
【発明の効果】
【００１７】
本発明のＡＴＭの棒金カセット収納装置を用いれば、以下の効果が生じる。
（１）前記ケース１の構成に複数金種の棒金を混合して収納したカセット（混合金種カセット）１個を付加することにより、多量のカセットを追加することなく、ケース２相当の効果を得ることができる。例えば、ケース２では基本構成に対して、６個の追加カセットが必要となるが、本発明では、混合金種カセット（×１個）を追加することで同等の効果を得ることができる。
これによって、カセットの準備数量、収納部の外形寸法を小さくすることができ、また、カセットの警送費用を低減することができる。
【００１８】
また、前記ケース１と比較して、１個の混合金種カセットを付加することにより、縮退動作を回避することができることからサービスビリティが大幅に向上する。
なお、混合金種カセットの数量を増やすことにより、縮退発生の可能性がさらに減少し、サービスビリティのさらなる向上を図ることができる。
【図面の簡単な説明】
【００１９】
【図１】本発明の、例えば、コンビニ等の店舗内に設置されているＡＴＭの全体概念図である
【図２】本発明のＡＴＭの複数金種の棒金を混合した棒金（混合金種棒金）の処理手順を示す。
【図３】本発明のＡＴＭのハードウエア構成を示す。
【図４】本発明の棒金収納部の出金処理のフローチャートを示す。
【図５】本発明のＡＴＭの棒金収納部の説明図である。
【図６】本発明のＡＴＭの両替サービスの構成を示す。
【図７】本発明のＡＴＭの両替サービスの概念図を示す。
【図８】本発明の両替サービスのＡＴＭと利用者間の操作フローを示す。
【図９】本発明の硬貨収納部のハードウエアブロックの実施例の図を示す。
【図１０Ａ】本発明のＡＴＭの全単一金種ありの場合の５００円両替例を示す。
【図１０Ｂ】本発明のＡＴＭの全単一金種ありの場合の５００円両替例を示す。
【図１０Ｃ】本発明のＡＴＭの全単一金種ありの場合の５００円両替例を示す。
【図１１Ａ】本発明のＡＴＭの混合金種（５００円なし）の両替例を示す。
【図１１Ｂ】本発明のＡＴＭの混合金種（５００円なし）の両替例を示す。
【図１１Ｃ】本発明のＡＴＭの混合金種（５００円なし）の両替例を示す。
【図１２Ａ】本発明のＡＴＭの１００円（５００円なし）の両替例を示す。
【図１２Ｂ】本発明のＡＴＭの１００円（５００円なし）の両替例を示す。
【図１２Ｃ】本発明のＡＴＭの１００円（５００円なし）の両替例を示す。
【図１３】本発明のＡＴＭの硬貨扉開閉機構を示す。
【図１４】本発明のＡＴＭの硬貨カセット有無検知機構の説明図である。
【図１５】従来のＡＴＭの棒金収納部の説明図である。
【図１６】従来の棒金収納部の出金処理のフローチャートを示す。
【発明を実施するための形態】
【００２０】
以下、図１〜図１４を参照しながら本発明に係るＡＴＭの棒金カセット収納の制御方法及び装置について、詳細に説明する。
図１は、本発明の前提となる「ＡＴＭの棒金カセット収納装置を用いる集配金システム」の全体図の例である。
【００２１】
図１において、ＡＴＭはコンビニ等の店舗内に設置されており、該ＡＴＭ処理装置２に一体化された入金・両替部３が併設されている。ここで、ＡＴＭ処理装置と入金・両替部の一体化されたものをＡＴＭ本体という。該入金・両替部３は、図５に示されるように、現金カセット収納部（以下、略して「紙幣部」という。）２１と棒金カセット収納部（以下、略して、「硬貨部」という。）２２から構成される。
【００２２】
例えば、店舗ＡＴＭは、ＡＴＭによる集配金ができて店舗キャッシュ・マネージメントをサポートするものである。店舗側では、ＡＴＭ入金で現金管理が不要になり、また、いつでも釣り銭が確保できるメリットがある。
【００２３】
図１において、店舗のＰＯＳレジからＡＴＭに入金されると、そのまま銀行７の口座に入金され、また、前記入金・両替部３には、両替用の釣り銭準備金が用意されており、適宜ＡＴＭ警送車により釣り銭が配金（５）されているので、店舗側の釣り銭確保の負担が軽減される。本発明は、図５に示される、上記入金・両替部３の棒金カセット収納部（硬貨部）２２の改良に関する。
【００２４】
本発明は、図２に示すように、棒金収納部に単一金種の棒金カセットのみならず、複数金種の棒金を混合して収納したカセット（混合金種カセット）を用意しておくことを特徴とする。図６に、この具体的なイメージを示す。図３は、ＡＴＭ本体のハードウエア構成を示す。該ハードウエア構成は、主制御部３１，操作部２０，棒金カセット収納部（硬貨部）２２を有する。図３、図６に示すごとく、ＡＴＭ本体の棒金カセット収納部（硬貨部）２２には、単一金種の棒金カセット２６のみならず、複数金種の棒金を混合して収納したカセット（混合金種カセット）２７の棒金が収納されている。
【００２５】
図１５に示される従来の棒金カセット収納部には、単一金種の棒金カセットのみしか用意されていなかったので、その内のどれか１種類の金種の棒金が出払うと、新たにその金種の棒金を補充しない限り釣り銭が不足する事態が生じていたが、本発明は、図２のごとく、単一金種の棒金カセットの他に、複数金種の棒金を混合して収納したカセット（混合金種カセット）を用意しておくと、単一金種のカセットのいずれかが空となっても、不足分を該混合金種カセットから取り出すことが可能になるので、これにより金種の不足を補えて、釣り銭不足が生じる事態を遅らせることができる。
【００２６】
また、単一金種のカセットの空になったことを早めに知らせることにより、不足金種の補充が早く行われるメリットもある。
前述のごとく、図３に本発明の硬貨収納部のハードウエアブロックの全体構造図を示す。さらに詳細には、図９に本発明の硬貨収納部のハードウエアブロックの実施例の図を示す。
【００２７】
ＡＴＭ本体２と硬貨収納部５２は、ライン６で接続され、硬貨収納部５２の主制御部６０は、ＣＰＵ６１、ＲＯＭ６２、ＲＡＭ６３、通信機能部６４及び硬貨収納制御部６５を備えている。
【００２８】
硬貨扉部２８には、硬貨扉開閉制御機構６８、硬貨扉セット検知機構６９を備える。
硬貨カセット収納部２２には、５００円収納部  カセット・ロック／ロック解除機構７１、５００円収納部のカセット・セット検知機構７２、５００円収納部の誘導ランプ制御機構７３、１００円収納部のカセット・ロック／ロック解除機構７４、１００円収納部のカセット・セット検知機構７５、１００円収納部の誘導ランプ制御機構７６、５０円収納部のカセット・ロック／ロック解除機構７７、５０円収納部のカセット・セット検知機構７８、５０円収納部の誘導ランプ制御機構７９、１０円収納部のカセット・ロック／ロック解除機構８０、１０円収納部のカセット・セット検知機構８１、１０円収納部の誘導ランプ制御機構８２、５円収納部のカセット・ロック／ロック解除機構８３、５円収納部のカセット・セット検知機構８４、５円収納部の誘導ランプ制御機構８５、１円収納部のカセット・ロック／ロック解除機構８６、１円収納部のカセット・セット検知機構８７、１円収納部の誘導ランプ制御機構８８、混合金種収納部１のカセット・ロック／ロック解除機構８９、混合金種収納部１のカセット・セット検知機構９０、混合金種収納部１の誘導ランプ制御機構９１、混合金種収納部２のカセット・ロック／ロック解除機構９２、混合金種収納部２のカセット・セット検知機構９３、混合金種収納部２の誘導ランプ制御機構９４を備える。
【００２９】
図４は、本発明の棒金収納部の出金処理のフローチャートを示す。該フローチャートは、図７のイメージを参照して説明する。
図４において、出金処理を開始する（Ｓ１）と、まず、出金金種を指定する（Ｓ２）。指定金種の棒金が残存するかどうかを検知し（Ｓ３）、ある場合は指定金種カセットのロックを解除し出金する（Ｓ４）。
【００３０】
出金完了（Ｓ５）すると、指定金種カセットのステータスを更新し（Ｓ６）、上位にステータス情報を通知する（Ｓ７）。
前記Ｓ３において、指定金種が残存しない場合は混合金種カセットが残存するかどうかを検知し、ある場合は混合金種カセットのロックを解除し出金する（Ｓ９）。
【００３１】
出金完了（Ｓ１０）すると、混合金種カセットのステータスを更新し（Ｓ１１）、上位にステータス情報を通知する（Ｓ１２）。
前記Ｓ８において、混合金種が残存しない場合は処理不可能メッセージを表示する（Ｓ１３）。
【００３２】
なお、前記各カセットに対応するフラグを立てるファイル箇所を前記硬貨収納部の主制御部（図９の６０）内のＤＢに有し、該フラグの有無により前記単一金種の棒金カセット、混合金種の棒金カセットの縮退を表示し、また、該フラグにより前記単一金種の棒金カセット及び混合金種の棒金カセットのロック解除を制御することが提案される。
【００３３】
また、前記指定金種が単一棒金種のカセットに残存しない場合は、あるいは、前記混合金種カセットのロックを解除したとき、例えば、店舗本部（図１の１０）や現金管理本部等のセンター・サーバに棒金補充要請の通知を速やかに行う過程をさらに有することが好ましい。このことにより、棒金の補充要請を早く知らせることができ、棒金が空になって両替不能になる時間を短くできる効果が生じる。
【００３４】
図８は、本発明の両替サービスのＡＴＭと利用者間の操作フローを示す。
図８は、図４のフローを中心とし、紙幣の場合の処理を含めた、全体のさらに詳細な両替サービスの操作フローを示す。該フローは、図１０〜１２の画面例を参照して理解される。
【００３５】
図１０〜１２は、本発明のＡＴＭの両替画面例を示す。
図１０は、全単一金種ありの場合の５００円両替例を示す。画面例は、図１０Ａ〜１０Ｂ〜１０Ｃと続く。これは、従来の出金処理と同じである。
【００３６】
両替金種を選択（３１）し、入金を行い（３２）、入金紙幣を計数し（３３）、両替硬貨を出金する（３４）。続いて、カセット取り出し指示（３５）、空カセット指示（３６）、収納扉閉鎖指示（３７）を経て、終了する（３８）。
【００３７】
図１１は、混合金種（５００円なし）の両替例を示す。画面例は、図１１Ａ〜１１Ｂ〜１１Ｃと続く。
両替金種を選択（４１）し、５００円なしの場合（４１)、混合金種の両替に移行し、入金を行い（４２）、入金紙幣を計数し（４３）、両替硬貨を出金する（４４）。続いて、カセット取り出し指示（４５）、空カセット指示（４６）、収納扉閉鎖指示（４７）を経て、終了する（４８）。
【００３８】
図１２は、１００円（５００円なし）の両替例を示す。画面例は、図１２Ａ〜１２Ｂ〜１２Ｃと続く。
両替金種を選択（５１）し、５００円なしの場合（４１)、１００円の両替に移行し、入金を行い（５２）、入金紙幣を計数し（５３）、両替硬貨を出金する（５４）。続いて、カセット取り出し指示（５５）、空カセット指示（５６）、収納扉閉鎖指示（５７）を経て、終了する（５８）。
【００３９】
なお、図１３、図１４に、前記硬貨収納部のロック解除の機構の詳細を示す。図１３に示すごとく、制御信号によりソレノイド１０１を駆動させてリンクレバー１０２、１０３により硬貨開閉扉のロック（１０３）、及びロック解除（１０２）を行う。また、図１４に示すごとく、硬貨カセットは、フォトセンサー１０５でカセットの有無を検知し、ソレノイド１０８の駆動により、リンクレバーの先端１０６が硬貨カセットに空けられた孔に挿入されることでロックされる。
【産業上の利用可能性】
【００４０】
前記の如く、本発明のＡＴＭは、混合金種の棒金を収納したカセットを備えることにより、単一金種の棒金しか備えていない従来のＡＴＭより、金種に不足が生じた場合の融通性が改善され、両替機能が向上したので、産業上の利用性が高い。また、このことにより、棒金補充のため、警送がＡＴＭに行く頻度が少なくなったので、産業上の利用性が高い。
【符号の説明】
【００４１】
２  ＡＴＭ
３  入金・両替部
７  銀行
１０  店舗本部
２１  現金カセット収納部（紙幣部）
２２  棒金カセット収納部（硬貨部）
２６  複数金種の棒金を混合して収納したカセット（混合金種の棒金カセット）
２７  単一金種の棒金を収納したカセット
２８  硬貨扉部
６０  主制御部
６１  ＣＰＵ
６２  ＲＯＭ
６３  ＲＡＭ
６４  通信機能部
６５  硬貨収納制御部
６８  硬貨扉開閉制御機構
６９  硬貨扉セット検知機構
７１  ５００円収納部  カセット・ロック／ロック解除機構
７２  ５００円収納部のカセット・セット検知機構
７３  ５００円収納部の誘導ランプ制御機構
７４  １００円収納部のカセット・ロック／ロック解除機構
７５  １００円収納部のカセット・セット検知機構
７６  １００円収納部の誘導ランプ制御機構
７７  ５０円収納部のカセット・ロック／ロック解除機構
７８  ５０円収納部のカセット・セット検知機構
７９  ５０円収納部の誘導ランプ制御機構
８０  １０円収納部のカセット・ロック／ロック解除機構
８１  １０円収納部のカセット・セット検知機構
８２  １０円収納部の誘導ランプ制御機構
８３  ５円収納部のカセット・ロック／ロック解除機構
８４  ５円収納部のカセット・セット検知機構
８５  ５円収納部の誘導ランプ制御機構
８６  １円収納部のカセット・ロック／ロック解除機構
８７  １円収納部のカセット・セット検知機構
８８  １円収納部の誘導ランプ制御機構
８９  混合金種収納部１のカセット・ロック／ロック解除機構
９０  混合金種収納部１のカセット・セット検知機構
９１  混合金種収納部１の誘導ランプ制御機構
９２  混合金種収納部２のカセット・ロック／ロック解除機構
９３  混合金種収納部２のカセット・セット検知機構
９４  混合金種収納部２の誘導ランプ制御機構
【図２】
0005689788.tif 000002
【図４】
0005689788.tif 000003
【図５】
0005689788.tif 000004
【図７】
0005689788.tif 000005
【図８】
0005689788.tif 000006
【図９】
0005689788.tif 000007
【図１０Ａ】
0005689788.tif 000008
【図１０Ｂ】
0005689788.tif 000009
【図１０Ｃ】
0005689788.tif 000010
【図１１Ｂ】
0005689788.tif 000011
【図１１Ｃ】
0005689788.tif 000012
【図１２Ｂ】
0005689788.tif 000013
【図１２Ｃ】
0005689788.tif 000014
【図１５】
0005689788.tif 000015
【図１６】
0005689788.tif 000016
【図１】
0005689788.tif 000017
【図３】
0005689788.tif 000018
【図６】
0005689788.tif 000019
【図１１Ａ】
0005689788.tif 000020
【図１２Ａ】
0005689788.tif 000021
【図１３】
0005689788.tif 000022
【図１４】
0005689788.tif 000023